(57)【要約】【課題】移動通信端末の試験を簡単かつ安価に実行する。【解決手段】試験プログラム１０に従って試験信号を作成して被試験端末２及び基準端末３に送信１１する。基準端末からの応答信号ｂ、ｂ1を受信してこの応答信号の各通信レイヤーに関する制御情報を抽出する基準情報抽出手段１７ａ、１９ａ、２０ａと、被試験端末からの応答信号を受信してこの応答信号の各通信レイヤーに関する制御情報を抽出する試験情報抽出手段１７ｂ、１９ｂ、２０ｂと、試験情報抽出手段で抽出された制御情報と基準情報抽出手段で抽出された基準制御情報との比較を行う比較手段１８と、比較結果に基づいて前記被試験端末の試験評価の判定を行う比較判定手段２８，２９とを備えている。【選択図】図１
2008277914.tif 000002
【特許請求の範囲】
【請求項１】
試験プログラムに従って基地局から端末宛の試験信号を作成して被試験端末及び通信動作の比較の基準となる基準端末に送信する試験信号送信手段と、
前記基準端末からの前記試験信号に応答する基地局宛の応答信号を受信してこの応答信号の各通信レイヤーに関する制御情報を抽出する基準情報抽出手段と、
前記被試験端末からの前記試験信号に応答する基地局宛の応答信号を受信してこの応答信号の各通信レイヤーに関する制御情報を抽出する試験情報抽出手段と、
この試験情報抽出手段で抽出された制御情報と前記基準情報抽出手段で抽出された制御情報との比較を行う比較手段と、
この比較手段における比較結果に基づいて前記被試験端末の試験評価の判定を行う比較判定手段と
を備えたことを特徴とする移動通信端末試験装置。
【請求項２】
通信動作の比較の基準となる基準端末を擬似する擬似基準端末と、
試験プログラムに従って基地局から端末宛の試験信号を作成して被試験端末及び前記擬似基準端末に送信する試験信号送信手段と、
前記擬似基準端末からの前記試験信号に応答する基地局宛の応答信号の各通信レイヤーに関する制御情報を抽出する基準情報抽出手段と、
前記被試験端末からの前記試験信号に応答する基地局宛の応答信号を受信してこの応答信号の各通信レイヤーに関する制御情報を抽出する試験情報抽出手段と、
この試験情報抽出手段で抽出された制御情報と前記基準情報抽出手段で抽出された制御情報との比較を行う比較手段と、
この比較手段における比較結果に基づいて前記被試験端末の試験評価の判定を行う比較判定手段と
を備えたことを特徴とする移動通信端末試験装置。
【請求項３】
前記試験情報抽出手段及び基準情報抽出手段で抽出する制御情報の一部の項目を操作指示に応じて選択する項目選択手段を備え、
前記試験情報抽出手段及び基準情報抽出手段にて各通信レイヤーから抽出する制御情報の項目は、予め定められている複数の必須項目と、前記項目選択手段にて選択された選択項目とを含む
ことを特徴とする請求項１又は２記載の移動通信端末試験装置。
【請求項４】
前記試験情報抽出手段及び基準情報抽出手段にて各通信レイヤーから抽出する制御情報の項目は、当該制御情報を抽出したときを示す時刻情報を含むことを特徴とする請求項３記載の移動通信端末試験装置。
【請求項５】
前記制御情報の各項目毎に操作指示に基づいて重要度を設置する重要度設定手段を有し、
前記被試験端末の比較判定手段は、前記各項目の比較結果と各項目の重要度に基づいて試験評価の判定を行う
ことを特徴とする請求項３又は４記載の移動通信端末試験装置。
【請求項６】
前記制御情報の各項目の抽出された情報を表示出力すると共に、比較結果が不一致の情報を該当項目に設定された重要度に応じた表示形態で表示器に表示出力する比較結果表示手段を備えたことを特徴とする請求項５記載の移動通信端末試験層装置。
【請求項７】
試験プログラムに従って試験信号を被試験端末及び通信動作の比較の基準となる基準端末に送信する試験信号送信段階と、
前記基準端末からの前記試験信号に応答する基地局宛の応答信号を受信してこの応答信号の各通信レイヤーに関する制御情報を抽出する基準情報抽出段階と、
前記被試験端末からの前記試験信号に応答する基地局宛の応答信号を受信してこの応答信号の各通信レイヤーに関する制御情報を抽出する試験情報抽出段階と、
この試験情報抽出段階で抽出された制御情報と前記基準情報抽出段階で抽出された制御情報との比較を行う比較段階と、
この比較段階における比較結果に基づいて前記被試験端末の試験評価の判定を行う比較判定段階と
を備えたことを特徴とする移動通信端末試験方法。
【発明の詳細な説明】
【技術分野】
【０００１】
本発明は、例えば、ＧＳＭ、Ｗ−ＣＤＭＡ等の通信方式に従って、基地局を介して相手側端末と通話を含む各種の情報交換を行う携帯端末等の移動通信端末の試験を行う移動通信端末試験装置、及び移動通信端末試験方法に関する。
【背景技術】
【０００２】
携帯電話、ＰＨＳ、ＰＤＡ等の移動通信端末を新規に開発した場合や、市販されて既に実用期間中において故障が生じた場合や、定期的なメンテナンスの場合においては、当該移動通信端末が、この移動通信端末が対応する通信規格に従って作動することの確認試験を実施する必要がある。
【０００３】
一般に、移動通信端末の動作試験を行う場合、この移動通信端末の稼働時にこの移動通信端末との間で各種の情報交換を実施する基地局の機能を有する擬似基地局が組込まれた移動通信端末試験装置が用いられる。具体的には、擬似基地局から、この試験装置に対して有線又は無線で接続された被試験端末に対して、各種の試験信号（ダウンリンク方向）を送信して、当該被試験端末がこの試験信号に対して指定された処理を実施し、基地局（擬似基地局）へ送出した応答信号（アップリンク方向）が、送信した試験信号に対して、正常な信号であるか否かを判定する。
【０００４】
従来の移動通信端末試験装置においては、被試験端末が、擬似基地局からの「ページング」の試験信号に正しく応答することや、指定したチャネルに正しく情報を組込んで送信することや、通話先と正常に通話回線が形成されること等の通信規格で必須と指定された最低限のプロトコル（信号授受）に対する確認試験を実施していた。この通信規格で必須と指定された試験項目の試験で異常が検出されなければ実用上は支障がない。
【０００５】
特許文献１には、上述した擬似基地局が組込まれた無線通信端末の機能及び性能を総合的に試験する試験装置の技術が開示されている。さらに、この特許文献１においては、Ｗ−ＣＤＭＡ、ＧＳＭ等の通信方式が異なる２台の無線通信端末を同時に測定する技術も開示されている。
【特許文献１】特開２００５−１２２７４号公報
【発明の開示】
【発明が解決しようとする課題】
【０００６】
しかしながら、近年、移動通信端末の機能においては、基本の通話機能の他に、メール機能、Ｗｅｂ閲覧機能、データ通信機能等の多数の機能が付加されている。その結果、被試験端末の動作試験の必要な試験項目は多岐に亘る。
【０００７】
したがって、被試験端末が有する上述した各機能の試験を行うための試験プログラムを作成する技術担当者は、各機能を実現するための通信プロトコルや、上述したＧＳＭ、Ｗ−ＣＤＭＡ等の各通信方式で採用されている各規格を熟知している必要がある。
【０００８】
当然、被試験端末から受信した応答信号に含まれる通信に関する各制御情報が正常であるか否かの判断をするための期待値（正解値、又は正常値）を予め求めて、記憶保持しておく必要がある。
【０００９】
特に、携帯電話プロトコル規格（３ＧＰＰ  ＴＳ０４．０４、ＴＳ０４．０６、ＴＳ０４．１８等）において、被試験端末から受信した応答信号に含まれる確認必須の制御情報の期待値（正解値）は明記されているが、被試験端末から受信した応答信号に含まれて確認が選択可能な制御情報の期待値（正解値）などの運用上選択が可能な内容は記載されていない場合が多い。
【００１０】
さらに、移動通信端末の開発・製造会社は、上述した通信規格の範囲内で、改良のために、細かい仕様を変更することが多い。この細かい仕様変更に伴う応答信号に含まれる制御情報の期待値（正解値）の変更を、この試験プログラムを作成する技術担当者が求めて、移動通信端末試験装置に設定することは、多大の手間と時間が必要であった。
【００１１】
このように、被試験端末が有する各機能をより詳細に、かつより正確に把握することは困難であった。
【００１２】
本発明はこのような事情に鑑みてなされたものであり、装置内に組込まれた擬似基地局から被試験端末と基準端末とに同一試験信号を印加することにより、簡単に被試験端末からの応答信号（アップリンク方向）に含まれる制御情報の妥当性を判定でき、たとえ、被試験端末における詳細な仕様を試験プログラムに組込まなくても、被試験端末の有する各機能をより詳細に、かつより正確に把握することができる移動通信端末試験装置、及び移動通信端末試験方法を提供することを目的とする。
【課題を解決するための手段】
【００１３】
上記課題を解決するために、本発明の移動通信端末試験装置においては、試験プログラムに従って基地局から端末宛の試験信号を作成して被試験端末及び通信動作の比較の基準となる基準端末に送信する試験信号送信手段と、基準端末からの試験信号に応答する基地局宛の応答信号を受信してこの応答信号の各通信レイヤーに関する制御情報を抽出する基準情報抽出手段と、被試験端末からの試験信号に応答する基地局宛の応答信号を受信してこの応答信号の各通信レイヤーに関する制御情報を抽出する試験情報抽出手段と、この試験情報抽出手段で抽出された制御情報と基準情報抽出手段で抽出された制御情報との比較を行う比較手段と、この比較手段における比較結果に基づいて被試験端末の試験評価の判定を行う比較判定手段とを備えている。
【００１４】
このように構成された移動通信端末試験装置においては、被試験端末に対する動作試験を実行するに際して、基準となる通信動作をする基準端末を準備する。この基準端末は被試験端末と同一仕様、又は、被試験端末の試験を実施しようとする機能に関する仕様が同一である。
【００１５】
したがって、同一の試験信号（ダウンリンク方向）を被試験端末及び基準端末に印加した場合に各端末から基地局宛の応答信号（アップリンク方向）の各通信レイヤーに関する制御情報は、少なくとも、前述した必須機能に対応する部分、及び被試験端末の試験を実施しようとする機能に対応する部分においては、互いに等しい筈である。
【００１６】
したがって、これらの部分をそれそれ、比較して両者が一致すれば、被試験端末は試験に合格したことを意味する。また、不一致の場合は不合格の可能性がある。
【００１７】
したがって、被試験端末における詳細な仕様を試験プログラムに組込まなくても、被試験端末の有する各機能をより詳細に、かつより正確に把握することができる。
【００１８】
また、別の発明においては、通信動作の比較の基準となる基準端末を擬似する擬似基準端末と、試験プログラムに従って基地局から端末宛の試験信号を作成して被試験端末及び擬似基準端末に送信する試験信号送信手段と、擬似基準端末からの試験信号に応答する基地局宛の応答信号の各通信レイヤーに関する制御情報を抽出する基準情報抽出手段と、被試験端末からの試験信号に応答する基地局宛の応答信号を受信してこの応答信号の各通信レイヤーに関する制御情報を抽出する試験情報抽出手段と、この試験情報抽出手段で抽出された制御情報と基準情報抽出手段で抽出された制御情報との比較を行う比較手段と、この比較手段における比較結果に基づいて被試験端末の試験評価の判定を行う比較判定手段とを備えている。
【００１９】
このように構成された移動通信端末試験装置においては、先の発明における基準端末を擬似基準端末として、この移動通信端末試験装置内に組込んでいるのみである。したがって、さきに説明した発明の移動通信端末試験装置とほぼ同じ作用効果を奏することが可能である。
【００２０】
また、別の発明は、上記各発明において、試験情報抽出手段及び基準情報抽出手段で抽出する制御情報の一部の項目を操作指示に応じて選択する項目選択手段を備えている。さらに、試験情報抽出手段及び基準情報抽出手段にて各通信レイヤーから抽出する制御情報の項目は、予め定められている複数の必須項目と、項目選択手段にて選択された選択項目とを含む。
【００２１】
このような構成においては、この移動通信端末試験装置を用いて、被試験端末の試験を実施する場合においては、例えば携帯電話プロトコル規格で応答信号における通信レイヤーに関する制御情報の必須項目以外に選択項目のなかから任意の項目の制御情報に対する比較判定を実施することができる。
【００２２】
また、別の発明は、上記各発明において、試験情報抽出手段及び基準情報抽出手段にて各通信レイヤーから抽出する制御情報の項目は、当該制御情報を抽出したときを示す時刻情報を含む。これは、各端末相互間で時刻情報に大きな誤差があると、誤動作の原因となる。
【００２３】
また、別の発明は、上記各発明において、制御情報の各項目毎に操作指示に基づいて重要度を設置する重要度設定手段を設けている。そして、被試験端末の比較判定手段は、各項目の比較結果と各項目の重要度に基づいて試験評価の判定を行う。すなわち、重要度の高い制御情報に不一致が存在すると、移動通信端末の基本動作が実行できないので、例えば不合格判定とする。
【００２４】
また、別の発明は、上記各発明において、制御情報の各項目の抽出された情報を表示出力すると共に、比較結果が不一致の情報を該当項目に設定された重要度に応じた表示形態で表示器に表示出力する比較結果表示手段を備えている。すなわち、重要度の高い制御情報が不一致になった場合は、その不一致の制御情報が、表示器上に強調表示される。
【００２５】
また、別の発明は、移動通信端末試験方法である。そして、この移動通信端末試験方法においては、試験プログラムに従って試験信号を被試験端末及び通信動作の比較の基準となる基準端末に送信する試験信号送信段階と、基準端末からの試験信号に応答する基地局宛の応答信号を受信してこの応答信号の各通信レイヤーに関する制御情報を抽出する基準情報抽出段階と、被試験端末からの試験信号に応答する基地局宛の応答信号を受信してこの応答信号の各通信レイヤーに関する制御情報を抽出する試験情報抽出段階と、この試験情報抽出段階で抽出された制御情報と基準情報抽出段階で手段で抽出された制御情報との比較を行う比較段階と、この比較段階における比較結果に基づいて被試験端末の試験評価の判定を行う比較判定段階とを備えている。
【００２６】
このように構成された移動通信端末試験方法においては、先に説明した移動通信端末試験装置とほぼ同じ作用効果を奏することが可能である。
【発明の効果】
【００２７】
本発明においては、簡単に被試験端末からの応答信号（アップリンク方向）に含まれる制御情報の妥当性を判定でき、たとえ、被試験端末における詳細な仕様を試験プログラムに組込まなくても、被試験端末の有する各機能をより詳細に、かつより正確に把握することができる。
【発明を実施するための最良の形態】
【００２８】
以下、本発明の各実施形態を図面を用いて説明する。
【００２９】
（第１実施形態）
図１は、本発明の第１実施形態に係わる移動通信端末試験方法が適用される移動通信端末試験装置の概略構成を示すブロック図である。
【００３０】
例えば、コンピュータ等の情報処理装置で構成された第１実施形態の移動通信端末試験装置１は被試験端末２、基準端末３に対しては擬似基地局装置の機能を果たす。すなわち、この移動通信端末試験装置１に対してそれぞれ信号線４、５で接続された被試験端末２、基準端末３に対してＷ−ＣＤＭＡ、ＧＳＭの通信規格に準拠する無線信号からなる各試験信号（ダウンリンク方向）ａを送出して、被試験端末２、基準端末３から出力される基地局宛の応答信号（アップリンク方向）b、ｂ1を受信して、当該応答信号ｂ、ｂ1の各通信レイヤーに関する各制御情報を抽出して、この制御情報が正常か否かを判定する。
【００３１】
基準端末３は既に完成されて正常に動作する。さらに、この基準端末３は試験対象の被試験端末２と同一仕様、又は、被試験端末２の試験を実施しようとする機能に関する仕様が同一である。
【００３２】
ここで、被試験端末２がＧＳＭ通信規格による通信方式を採用した移動端末である場合における、移動端末から基地局への上り信号（アップリンク方向）の各論理チャネルにおける各レイヤーに設定される制御情報を説明する。
【００３３】
図２に示すように、移動端末から基地局への上り信号（アップリンク方向）の移動端末と基地局との間の通信に関する制御情報を送信するための主な論理チャネルとして、ＲＡＣＨ（ランダム・アクセス・チャネル）、ＳＡＣＣＨ（低速付随制御チャネル）、ＦＡＣＣＨ（高速付随制御チャネル）、ＳＤＣＣＨ（個別制御チャネル）、ＴＣＨ（トラフィック・チャネル）等がある。
【００３４】
また、通信レイヤーとして、物理層（下位層）としてのレイヤー１と、データ層（中位層）としてのレイヤー２、プロトコル（ネットワーク）層（上位層）としてのレイヤー３が設定されている。
【００３５】
ＲＡＣＨ（ランダム・アクセス・チャネル）には、通信開始時において、基地局に対して「チャネル要求」に関する制御情報が組込まれる。具体的には、図３に示すように、レイヤー３に、確立通信種別（ESTABLISHMENT CAUSE）とランダム値（RANDOM REFERENCE）の各項目が設定される。
【００３６】
ＳＡＣＣＨ（低速付随制御チャネル）には、通話等の低速通信に関する制御情報が、各レイヤーに亘って各項目が設定されている。
【００３７】
図４（ａ）は、ＳＡＣＣＨのレイヤー１のフォーマット図である。このＳＡＣＣＨは合計２３オクテットで形成されている。そして、ヘッダー部に、スペア（００）を置いて、高速電力制御情報ＦＰＣ（Fast Power Control）、移動機電力レベル（Actual MS power level ）、移動機送信タイミング（Actual timing advance）等の各項目が設定されている。
【００３８】
図４（ｂ）は、ＳＡＣＣＨのレイヤー２のフォーマット図である。このＳＡＣＣＨにおいては、ヘッダー部にアドレス領域（Address field）と、制御領域（Control field）の各項目が設定される。
【００３９】
図２において、ＳＤＣＣＨのレイヤー３には、呼確認情報（Call Confirmed）に関する３個の必須項目と、１個の条件項目と、５個の選択項目との合計９個の項目が設定可能である。
【００４０】
図５は、呼確認メッセージのレイヤー３のフォーマット図である。図５（ａ）に示す３個の必須項目６は、
呼制御プロトコル識別子（Call control protocol discriminator）、（フォーマット＝数値、データ長＝１／２バイト）
トランザクション識別子（Transaction identify）（フォーマット＝数値、データ長＝１／２バイト）、
呼確認メッセージ種別（Call confirmed message type ）（フォーマット＝数値、データ長＝１／1バイト）
の各項目である。なお、各項目６の先頭の情報要素識別子（ＩＥＩ）９には、該当項目の情報要素を特定するコードが設定される。なお、必須項目６の情報要素識別子（ＩＥＩ）９は何も設定されていない。
【００４１】
１個の条件項目７は、図５（ｂ）に示すように、この呼確認メッセージにおいて。２個の選択項目８が設定されていることを示す多重設定指示（Repeat Indicator）(フォーマット＝種別、レングス、データ長＝１バイト)が設定される。なお、この条件項目７の先頭の情報要素識別子（ＩＥＩ）９には条件項目７であることを示す「Ｄ」のコードが設定される。
【００４２】
呼確認メッセージに設定可能な５個の選択項目８は、図６に示すように、先頭から、
移動機のベアラ能力（Bearer capability ）１
（ＩＥＩ＝０４、フォーマット＝種別，レングス，数値、データ長＝３〜１６バイト）
移動機のベアラ能力（Bearer capability ）２
（ＩＥＩ＝０４、フォーマット＝種別，レングス，数値、データ長＝３〜１６バイト）
移動機の状況（Cause）
（ＩＥＩ＝０８、フォーマット＝種別，レングス，数値、データ長＝4〜３２バイト）
移動機の呼制御能力（Call Control Capabilities）
（ＩＥＩ＝１５、フォーマット＝種別，レングス，数値、データ長＝4バイト）
ストリーム識別子（Stream identifier）
（ＩＥＩ＝２Ｄ、フォーマット＝種別，レングス，数値、データ長＝３バイト）
である。
【００４３】
以上の呼確認メッセージにおいては、ＧＳＭの通信規格においては、合計９個の項目を設定可能であるが、移動端末の開発・製造会社においては、図５（ａ）に示すように最低３個の必須項目６を設定すればよい。そして、必要に応じて、図５（ｂ）に示すように多重定指示（Repeat Indicator）の条件項目７を付加したり、図５（ｃ）に示すように多重設定指示（Repeat Indicator）の条件項目７に加えて、一つ又は複数の選択項目８を付加することが可能である。さらに、図５（ｄ）に示すように、３個の必須項目６に一つ又は複数の選択項目８を付加することが可能である。
【００４４】
各項目６、７、８の設定順序は固定であるので設定されていない項目部分を詰めて呼確認メッセージの全体のデータ長を短くしたとしても、情報要素識別子（ＩＥＩ）９を検索することによって、このＳＤＣＣＨのレイヤー３の呼確認（Call Confirmed）の各項目６、７、８を実施形態の移動通信端末試験装置１は検出可能である。
【００４５】
なお、図２におけるＦＡＣＣＨ（高速付随制御チャネル）、ＴＣＨ（トラフィック・チャネル）については説明を省略する。
【００４６】
以上説明した論理チャネルを有する基地局に対する応答信号ｂを出力する被試験端末２の動作試験を行う図１に示す移動通信端末試験装置１において、試験プログラム記憶部１０内には、前述した移動体無線の関する携帯電話プロトコル規格（３ＧＰＰ  ＴＳ０４．０４、ＴＳ０４．０６、ＴＳ０４．１８等）で定められた試験を実施するための試験プログラムが記憶されている。
【００４７】
試験実行部１１は試験プログラム記憶部１０に記憶された試験プログラムに従って、レイヤー３作成部１２を制御して、ＢＣＣＨ（ブロードキャスト制御チャネル）、ＳＣＨ（同期チャネル）、ＡＧＣＨ（アクセス許可チャネル）、ＳＡＣＣＨ（低速付随制御チャネル）に試験信号としての必要な情報を書きこんで、レイヤー２作成部１３、及びレイヤー１作成部１４で必要な処理を実施したのち、送信部１５で無線信号に変換して、正規の試験信号ａとして、信号線４、５を介して、被試験端末２及び基準端末３へ送出する。
【００４８】
被試験端末２、基準端末３は試験信号ａを受信すると、この試験信号ａの指示に従って、例えば着信等の所定の内部処理を実施し、ＲＡＣＨやＳＡＣＣＨに前述した所定の制御情報を組込んだ応答信号ｂ、ｂ1を信号線４、５を介して同一構成の受信部１６ａ、１６ｂへ送信する。
【００４９】
被試験端末２からの応答信号ｂを受信した受信部１６ａは、応答信号ｂをベースバンド信号に変換して、レイヤー１抽出部１７ａへ送出する。レイヤー１抽出部１７ａは入力した応答信号ｂを元の複数の物理チャネル及び複数の論理チャネルに分解して、各論理チャネルに含まれる各制御情報のうち制御情報比較部１８が指定する制御情報を読み取り、制御情報比較部１８へ送出する。その後、レイヤー１抽出部１７ａは入力した応答信号ｂに対して、所定のレイヤー１処理を実施したのち、レイヤー２抽出部１９ａへ送出する。
【００５０】
レイヤー２抽出部１９ａは入力した応答信号ｂの各論理チャネルに含まれる各制御情報のうち制御情報比較部１８が指定する制御情報を読み取り、制御情報比較部１８へ送出する。その後、レイヤー２抽出部１９ａは入力した応答信号ｂに対して、所定のレイヤー２処理を実施したのち、レイヤー３抽出部２０ａへ送出する。
【００５１】
レイヤー３抽出部２０ａは入力した応答信号ｂの各論理チャネルに含まれる各制御情報のうち制御情報比較部１８が指定する制御情報を読み取り、制御情報比較部１８へ送出する。その後、レイヤー３抽出部２０ａは入力した応答信号ｂに対して、所定のレイヤー３処理を実施したのち、試験実行部１１へ送出する。
【００５２】
一方、基準端末３からの応答信号ｂ1を受信した受信部１６ｂは、応答信号ｂ1をベースバンド信号に変換して、レイヤー１抽出部１７ｂへ送出する。レイヤー１抽出部１７ｂは入力した応答信号ｂ1を元の複数の物理チャネル及び複数の論理チャネルに分解して、各論理チャネルに含まれる各制御情報のうち制御情報比較部１８が指定する制御情報を読み取り、制御情報比較部１８へ送出する。その後、レイヤー１抽出部１７ｂは入力した応答信号ｂ1に対して、所定のレイヤー１処理を実施したのち、レイヤー２抽出部１９ｂへ送出する。
【００５３】
レイヤー２抽出部１９ｂは入力した応答信号ｂ1の各論理チャネルに含まれる各制御情報のうち制御情報比較部１８が指定する制御情報を読み取り、制御情報比較部１８へ送出する。その後、レイヤー２抽出部１９ｂは入力した応答信号ｂ1に対して、所定のレイヤー２処理を実施したのち、レイヤー３抽出部２０ｂへ送出する。
【００５４】
レイヤー３抽出部２０ｂは入力した応答信号ｂ1の各論理チャネルに含まれる各制御情報のうち制御情報比較部１８が指定する制御情報を読み取り、制御情報比較部１８へ送出する。その後、レイヤー３抽出部２０ｂは入力した応答信号ｂ1に対して、所定のレイヤー３処理を実施したのち、試験実行部１１へ送出する。
【００５５】
試験実行部１１は、被試験端末２、基準端末３からの応答信号ｂ、ｂ1の入力を確認すると、次の試験信号ａを作成して、被試験端末２、基準端末３へ送信する。
【００５６】
このような手順で、被試験端末２、基準端末３に同一の試験信号ａを送出して、被試験端末２、基準端末３からの応答信号ｂ、ｂ1を入力する移動通信端末試験装置１において、初期設定部２２は、表示器２３に、図７に示す比較項目初期設定画面２４を表示し、操作者に大まかな設定を促す。
【００５７】
この実施形態においては、時刻情報、図５に示すＳＤＣＣＨのレイヤー３の「呼確認」における３個の必須項目６、１個の条件項目７、及び５個の選択項目８のうち少なくとも１個の選択項目８が選択されていることを示す。
【００５８】
なお、この実施形態においては、図４（ａ）に示すＳＡＣＣＨのレイヤー１のヘッダー部に設定されている各制御情報と、図４（ｂ）に示すＳＡＣＣＨのレイヤー２のヘッダー部に設定されているアドレス領域等の各制御情報とは設定されていない。比較項目初期設定画面２４の設定情報は、比較項目選択設定部２５へ送出される。
【００５９】
選択項目設定部２６は、初期設定部２２でレイヤー３の選択項目８が選択された場合、表示器２３に図８に示す選択項目設定画面２７を表示して、操作者に選択設定を促す。この実施形態においては、図６に示す５個の選択項目８のうち、移動機の状況以外の４個の選択項目８が選択設定されている。この選択項目８の選択設定結果は比較項目選択設定部２５へ送出される。
【００６０】
比較項目選択設定部２５は、初期設定部２２、選択項目設定部２６で選択設定された比較すべき各制御情報、各項目を制御情報比較部１８へ送出する。
【００６１】
制御情報比較部１８は、各レイヤー抽出部１７ａ、１７ｂ、１９ａ、１９ｂ、２０ａ、２０ｂに対して抽出（比較）すべき各制御情報、各項目を予め指定しておく。そして、制御情報比較部１８は、応答信号ｂの各レイヤー抽出部１７ａ、１９ａ、２０ａで抽出した各制御情報と、応答信号ｂ1の各レイヤー抽出部１７ｂ、１９ｂ、２０ｂで抽出した各制御情報と比較して、一致・不一致の比較結果を得て判定結果編集部２８へ送出する。
【００６２】
なお、各応答信号ｂ、ｂ1の各通信レイヤーに関する各制御情報は数字又はコードで示されるので、試験規格メモリ２１に記憶されている携帯電話プロトコル規格に基づく制御情報に関する内容を用いて、この移動通信端末試験装置１の操作者に理解できる比較結果に変換して、判定結果編集部２８へ送信する。
【００６３】
重要度設定部２９は、表示器２３に図９に示す重要度設定画面３０を表示して、前述した各制御情報の各項目に不一致が生じた場合における重要度の設定を操作者に促す。具体的には、基準端末３の制御情報に対して不一致の場合、誤動作等の重大な事態になる可能性がある制御情報に対して「エラー」とし、不一致の場合であっても、誤動作等の重大な事態になる可能性がない制御情報に対して「警告」とする。
【００６４】
さらに、図９に示すように、前述した携帯電話プロトコル規格において、予め設定されている規格準拠３０ａか、操作者（ユーザ）設定３０ｂを選択可能である。さらに各制御情報毎に「エラー」又は「警告」を設定可能である。
【００６５】
判定結果表示色設定部３１は表示器３２は、図１０に示す判定結果表示設定画面３２を表示器２３に表示する。この実施形態においては、不一致で「警告」の場合の場合「黄」、一致で「エラー」の場合の場合「赤」を設定する。判定結果表示色設定部３１は、設定された表示色を判定結果編集部２８へ送出する。
【００６６】
判定結果編集部２８は、制御情報比較部１８から順次入力される各制御情報の比較結果を重要度及び表示色で編集して、表示器２３に図１１に示す試験結果３３として表示する。図１１の左側に、基準端末３の応答信号ｂ1のＲＡＣＨのレイヤー３の各制御情報の値を示す。図１１の右側に、同一条件における被試験端末２の応答信号ｂのＲＡＣＨのレイヤー３の各制御情報の値を示す。さらに、右端に、被試験端末２に対する綜合判定を示す。そして、端末（１）と端末（２）との２つの被試験端末２に対して試験を実施している。
【００６７】
この試験結果３３によると、端末（１）の被試験端末２の時刻情報（Ｔｉｍｅ１２：３４）は、基準端末３の時刻情報（Ｔｉｍｅ１２；４５）に比較して、不一致であるが、この時刻情報は図９に示すように、「警告」の重要度であるので、この時刻情報（Ｔｉｍｅ１２：３４）は「黄」色で表示されるのみである。さらに、確立通信種別は共に「ｂ０１１１１」で一致しているので問題はない。なお、ランダム値は端末毎に異なることは容認している。従って、この端末（１）の被試験端末２に対する総合判定は「合格」である。
【００６８】
一方、端末（２）の被試験端末２の時刻情報（Ｔｉｍｅ２３：４５）は、基準端末３の時刻情報（Ｔｉｍｅ２３；５６）に比較して、不一致であるので、警告の「黄」色で表示される。さらに、確立通信種別は「ｂ０１１１０」で、基準端末３の確立通信種別は「ｂ０１１１１」と不一致である。このＲＡＣＨの確立通信種別は、図９に示すように、「エラー」の重要度であるので、この不一致の確立通信種別は「ｂ０１１１０」は「赤」色で表示される。従って、この端末（２）の被試験端末２に対する総合判定は「不合格」である。
【００６９】
このように、図１１に示す試験結果３３においては、被試験端末２に対する試験結果が基準端末３との対比で示され、かつ、重要な項目に不一致の異常が検出されると、「赤」色表示されるので、操作者は、試験結果を一目瞭然で把握できる。
【００７０】
図１２は、この移動通信端末試験装置１の全体動作を示す流れ図である。先ず、試験実行部１１を起動して、被試験端末２、基準端末３に対して最初の試験信号ａとして、基地局の存在を示す情報を同報通信で送出する（ステップＳ１）。そして、被試験端末２、基準端末３の電源を投入すると（Ｓ２）、被試験端末２、基準端末３は、最初の試験信号ａに対する応答信号として、図３に示すＲＡＣＨのレイヤー３にチャネル要求の「確立通信種別」及び「ランダム値」を組込んだ応答信号ｂ、ｂ1を試験信号ａの送信元の移動通信端末試験装置１宛に送信する。
【００７１】
被試験端末２，基準端末３のそれぞれから送信される「ランダム値」は、移動通信端末試験装置１からの、被試験端末２，基準端末３への使用チャネルの割当の際に使用される。
【００７２】
応答信号ｂ、ｂ1を受信した移動通信端末試験装置１は（Ｓ３）、レイヤー３抽出部２０ａ、２０ｂにて、チャネル要求の「確立通信種別」、「ランダム値」、「時刻情報」をそれぞれ読取り（Ｓ４）り、被試験端末２、基準端末３間で比較する（Ｓ５）。そして、比較結果を重要度を組込んで、図１１に示す試験結果３３の一部として表示器２３に表示する（Ｓ６）。そして、重大エラーが存在すれば（Ｓ７）、不合格表示する（Ｓ８）。
【００７３】
試験実行部１１は、応答信号ｂ、ｂ1のＲＡＣＨのチャネル要求に対して、利用可能チャネルをＡＧＣＨに組込んで、第２の試験信号ａ（ダウンリンク方向）として、被試験端末２、基準端末３へ送出する（Ｓ９）。このとき、利用可能チャネルの割当の際には、前述のランダム値が使用されるので、試験実行部１１は、被試験端末２、基準端末３それぞれのランダム値を用いて使用チャネルを割り当てる試験信号を２回送信する。
【００７４】
なお、被試験端末２、基準端末３のいずれか、もしくは両方をランダム値を任意に設定可能とし同一ランダム値とすることで、１回の試験信号により使用チャネルを割り当てるようにしてもよい。
【００７５】
使用チャネルが定まれば、移動通信端末試験装置１の試験実行部１１と被試験端末２、基準端末３との間で１対１の通信を開始する（Ｓ１０）。
【００７６】
そして、移動通信端末試験装置１の試験実行部１１と被試験端末２、基準端末３との間で、音声通信の合間を縫ってＳＡＣＣＨ等を用いて前述したレイヤー１、２、３の各通信に関する制御情報の送受信を実行する（Ｓ１１）。被試験端末２、基準端末３から送信される応答信号ｂ、ｂ1のＳＡＣＣＨ等の各制御情報をレイヤー１、レイヤー２，レイヤー３の順番で読取って行き（Ｓ１２）、各レイヤーの制御情報の各項目毎に、比較判定を行い、比較判定結果を図１１の試験結果３３に追加表示していく（Ｓ１３）。そして、重大エラーが存在すれば（Ｓ１４）、最終の不合格判定とする（Ｓ１５）。重大エラーが存在しなければ（Ｓ１４）、最終の合格判定とする（Ｓ１６）。
【００７７】
このように構成された第１実施形態の移動通信端末試験装置１においては、前述したように、被試験端末２に対する動作試験を実行するに際して、既に完成されて正常に動作する基準端末３を用い、同一の試験信号ａを被試験端末２及び基準端末３に印加している。したがって、各応答信号ｂ、ｂ1の各通信レイヤーに関する制御情報は互いに等しい筈である。
【００７８】
したがって、これらの部分をそれそれ、比較して両者が一致すれば、被試験端末は試験に合格したことを意味する。また、不一致の場合は不合格の可能性がある。
【００７９】
したがって、被試験端末における詳細な仕様を試験プログラムに組込まなくても、被試験端末の有する各機能をより詳細に、かつより正確に把握することができる。
【００８０】
（第２実施形態）
図１３は、本発明の第２実施形態に係わる移動通信端末試験装置の概略構成を示すブロック図である。図１に示す第１実施形態の移動通信端末試験装置１と同一部分には、同一符号を付して重複する部分の詳細説明を省略する。
【００８１】
この第２実施形態の移動通信端末試験装置ｌａにおいては、図１の第１実施形態の移動通信端末試験装置１における基準端末３が除去されていて、基準端末３の代替え機能を有する擬似基準端末４０が移動通信端末試験装置ｌａ内に予め組込まれている。そして、この擬似基準端末４０が試験対象の被試験端末２と動作上において、同一仕様になるように、擬似基準端末プログラムメモリ４１に記憶された擬似基準端末プログラムによって、その動作が制御される。
【００８２】
そして、試験実行部１１で作成指示された試験信号ａは送信部１５から被試験端末２及び擬似基準端末４０に送出される。被試験端末２及び擬似基準端末４０はそれぞれ応答信号ｂ、ｂ1を各受信部１６ａ、１６ｂへ送信する。
【００８３】
したがって、この第２実施形態の移動通信端末試験装置ｌａは、先に説明した第１実施形態の移動通信端末試験装置ｌとほぼ同様の作用効果を奏することが可能である。
【００８４】
さらに、この第２実施形態の移動通信端末試験装置ｌａにおいては、擬似基準端末４０の仕様を任意に変更可能であるので、ハードウエア自体が実際になくとも、開発段階で基準となる仕様を設定しておき、開発過程の各被試験端末２の試験を容易に実施できる。
【００８５】
なお、本発明は上述した各実施形態に限定されるものではない。実施形態においては、ＧＳＭ通信方式の被試験端末の試験を実施したが、Ｗ−ＣＤＭＡ通信方式等の他の通信方式の被試験端末に対する試験も実施することが可能である。
【図面の簡単な説明】
【００８６】
【図１】本発明の第１実施形態に係わる移動通信端末試験方法が適用される移動通信端末試験装置の概略構成を示すブロック図
【図２】ＧＳＭ通信方式における各論理チャネルを示す図
【図３】ＧＳＭ通信方式におけるＲＡＣＣＨのフォーマット図
【図４】ＧＳＭ通信方式におけるＳＡＣＣＨのフォーマット図
【図５】ＧＳＭ通信方式における呼確認メッセージのフォーマット図
【図６】ＧＳＭ通信方式における呼確認メッセージに組込まれる制御情報の選択項目を示す図
【図７】第１実施形態の移動通信端末試験装置の表示器に表示された比較項目初期設定画面を示す図
【図８】同実施形態の移動通信端末試験装置の表示器に表示された選択項目設定画面を示す図
【図９】同実施形態の移動通信端末試験装置の表示器に表示された重要度設定画面を示す図
【図１０】同実施形態の移動通信端末試験装置の表示器に表示された判定結果表示色設定画面を示す図
【図１１】同実施形態の移動通信端末試験装置の表示器に表示された判定結果を示す図
【図１２】同実施形態の移動通信端末試験装置の全体動作を示す流れ図
【図１３】本発明の第２実施形態の移動通信端末試験装置の概略構成を示すブロック図
【符号の説明】
【００８７】
１，１ａ…移動通信端末試験装置、２…被試験端末、３…基準端末、４，５…信号線、６…必須項目、７…条件項目、８…選択項目、１０…試験プログラム記憶部、１１…試験実行部、１２…レイヤー３作成部、１３…レイヤー２作成部、１４…レイヤー１作成部、１５…送信部、１６ａ，１６ｂ…受信部、１７ａ，１７ｂ…レイヤー１抽出部、１８…制御情報比較部、１９ａ，１９ｂ…レイヤー２抽出部、２０ａ，２０ｂ…レイヤー３抽出部、２１…試験規格メモリ、２２…初期設定部、２３…表示器、２５…比較項目選択設定部、２６…選択項目設定部、２８…判定結果編集部、２９…重要度設定部、３１…判定結果表示色設定部、３３…試験結果、４０…擬似基準端末、４１…擬似基準端末プログラム
【図１】
2008277914.tif 000003
【図２】
2008277914.tif 000004
【図３】
2008277914.tif 000005
【図４】
2008277914.tif 000006
【図５】
2008277914.tif 000007
【図６】
2008277914.tif 000008
【図７】
2008277914.tif 000009
【図８】
2008277914.tif 000010
【図９】
2008277914.tif 000011
【図１０】
2008277914.tif 000012
【図１１】
2008277914.tif 000013
【図１２】
2008277914.tif 000014
【図１３】
2008277914.tif 000015